(57)【特許請求の範囲】
【請求項１】
中仕切り部材が取り付け可能な中仕切り容器において、
相対する側壁に、側壁の内面の上部から上端フランジまで達する縦長スリットと、
前記相対する側壁の外面に、前記縦長スリットを挟むように、前記側壁の外面に垂直で、且つ、前記上端フランジの裏面から下方に延在するように形成された相対する板状の垂直リブとを有する中仕切り挿入部材が形成され、
前記中仕切り挿入部材は、前記相対する垂直リブの先端で、且つ、上端部を連結するように形成され、取り付けられた中仕切り部材の上方への移動による外れを防止するための上端水平連結リブを有しており、
上に位置する中仕切り容器と下に位置する中仕切り容器とをネスティングさせた状態においては、上に位置する前記中仕切り挿入部材の容器外側部分の下端が、下に位置する中仕切り容器の前記上端フランジに当接するよう、前記相対する垂直リブを、ネスティング当接垂直リブとしたことを特徴とする中仕切り容器。
【発明の詳細な説明】
【技術分野】
【０００１】
本発明は、容器内を複数に区画する中仕切り部材が取り付け可能な中仕切り容器に関するものである。
【背景技術】
【０００２】
従来、容器の相対する側壁の内側面に、中仕切り部材が取り付けられる挿入リブを形成した中仕切り容器が、特許文献１に開示されており、また、容器の相対する側壁の内側面に、中仕切り部材の突出部が、上方から挿入されるように、縦長の凹部を形成した中仕切り容器が、特許文献２に開示されており、更に、容器の相対する側壁に、中仕切り部材の突出部が挿入されるスリットを形成した中仕切り容器が、特許文献３に開示されている。
【先行技術文献】
【特許文献】
【０００３】
【特許文献１】実開平１−９４２４３号公報
【０００４】
【特許文献２】実開昭６３ー１６９４３９号公報
【０００５】
【特許文献３】特開平８−２３０８８４号公報
【発明の概要】
【発明が解決しようとする課題】
【０００６】
上述した特許文献１に開示されている中仕切り容器においては、中仕切り容器の側壁の内側面から、中仕切り部材が取り付けられる挿入リブが突出しているので、中仕切り容器への物品の収容スペースが減少するとともに、挿入リブにより、物品が損傷するという問題があった。
【０００７】
また、上述した特許文献２に開示されている中仕切り容器においては、上方が開放された縦長の凹部が形成されているために、中仕切り容器への中仕切り部材の取り付けは容易であるが、中仕切り部材の突出部が、上方が開放された縦長の凹部から抜け出るという問題があった。
【０００８】
更に、上述した特許文献３に開示されている中仕切り容器においては、中仕切り部材の突出部が、中仕切り容器の側壁から外側に突出しているので、外側に突出している中仕切り部材の突出部に、他の物が引っ掛かり、中仕切り部材の突出部が損傷するという問題があった。
【０００９】
本発明の目的は、上述した従来の中仕切り容器が有する課題を解決することにある。
【課題を解決するための手段】
【００１０】
本発明は、上述した目的を達成するために、中仕切り部材が取り付け可能な中仕切り容器において、
相対する側壁に、側壁の内面の上部から上端フランジまで達する縦長スリットと、
前記相対する側壁の外面に、前記縦長スリットを挟むように、前記側壁の外面に垂直で、且つ、前記上端フランジの裏面から下方に延在するように形成された相対する板状の垂直リブとを有する中仕切り挿入部材が形成され、
前記中仕切り挿入部材は、前記相対する垂直リブの先端で、且つ、上端部を連結するように形成され、取り付けられた中仕切り部材の上方への移動による外れを防止するための上端水平連結リブを有しており、
上に位置する中仕切り容器と下に位置する中仕切り容器とをネスティングさせた状態においては、上に位置する前記中仕切り挿入部材の容器外側部分の下端が、下に位置する中仕切り容器の前記上端フランジに当接するよう、前記相対する垂直リブを、ネスティング当接垂直リブとしたものである。
【発明の効果】
【００１１】
本発明は、中仕切り部材が取り付け可能な中仕切り容器において、相対する側壁に、側壁の内面の上部から上端フランジまで達する縦長スリットと、相対する側壁の外面に形成されているとともに、上端水平連結リブで連結された相対する垂直リブとを有する中仕切り挿入部材を形成したので、中仕切り容器への中仕切り部材の取り付けが容易になるとともに、中仕切り部材が、中仕切り容器から外れるようなことを防止することができる。
【００１３】
上端水平連結リブで連結された相対する垂直リブを、ネスティング当接垂直リブとしたので、中仕切り挿入部材３の構成を変更することなく、スタッキング或いはネスティングが可能な中仕切り容器に適用することができる。
【図面の簡単な説明】
【００１４】
【図１】図１は、本発明の中仕切り容器の中仕切り部材が取り付けられていない状態の斜視図である。
【図２】図２は、本発明の中仕切り容器の裏面斜視図である。
【図３】図３は、本発明の中仕切り容器の部分拡大斜視図である。
【図４】図４は、同じく、本発明の中仕切り容器の部分拡大斜視図である。
【図５】図５は、同じく、本発明の中仕切り容器の部分拡大斜視図である。
【図６】図６は、本発明の中仕切り容器に取り付けられる中仕切り部材の斜視図である。
【図７】図７は、本発明の中仕切り容器と中仕切り部材との部分拡大分解斜視図である。
【図８】図８は、本発明の中仕切り容器に中仕切り部材が取り付けられた状態の斜視図である。
【図９】図９は、本発明の中仕切り容器に中仕切り部材が取り付けられた状態の一部断面を含む部分拡大斜視図である。
【図１０】図１０は、本発明の中仕切り容器に中仕切り部材が取り付けられた状態の部分拡大斜視図である。
【図１１】図１１は、本発明の中仕切り容器がスタッキング状態に段積みされた状態の中仕切り容器の一部断面を含む部分拡大斜視図である。
【実施例】
【００１５】
先ず最初に、図１〜図５を用いて、中仕切り容器Ｃについて説明する。
【００１６】
中仕切り容器Ｃは、底部１と側壁２とから構成されており、側壁２の上端には、外側に水平方向に延在する上端フランジ２ａが形成されている。また、側壁２の相対する一方の側壁２ｂには、中仕切り挿入部材３が形成されており、中仕切り挿入部材３は、側壁２ｂの内面（中仕切り容器Ｃの内側に位置する面）２ｂ１の上部から上端フランジ２ａまで達する縦長で、側壁２ｂを貫通する縦長スリット３ａと、底面３ｂと、縦長スリット３ａを挟むように形成された相対する垂直壁面３ｃと、平面形状がコの字状に形成された下方に傾斜した上端傾斜案内部３ｄとを有している。このような縦長スリット３ａと底面３ｂと相対する垂直壁面３ｃと上端傾斜案内部３ｄとにより、中仕切り容器Ｃの内側に位置する中仕切り挿入部材３の容器内側部分３’が形成されている。なお、容器内側部分３’は、中仕切り容器Ｃの側壁２ｂの内面２ｂ１から、突出しないように構成されている。
【００１７】
中仕切り挿入部材３は、側壁２ｂの外面（中仕切り容器Ｃの外側に位置する面）２ｂ２に、縦長スリット３ａを挟むように、側壁２ｂの外面２ｂ２に垂直で、且つ、上端フランジ２ａの裏面から下方に延在するように形成された相対する板状の垂直リブ３ｅを有しており、また、相対する垂直リブ３ｅの下端を連結するように形成された下端水平連結リブ３ｆを有しており、更に、相対する垂直リブ３ｅの先端で、且つ、上端部を連結するように形成された上端水平連結リブ３ｇを有している。このような相対する板状の垂直リブ３ｅと下端水平連結リブ３ｆと上端水平連結リブ３ｇとにより、中仕切り容器Ｃの外側に位置する中仕切り挿入部材３の容器外側部分３”が形成されている。なお、容器外側部分３”は、上端フランジ２ａより、外側に突出しないように構成されている。
【００１８】
なお、本実施例には、中仕切り容器Ｃの相対する側壁２及び底部１を二分する中心線Ｌ１上に位置する相対する側壁２に、それぞれ、相対するように、中仕切り挿入部材３が形成されており、また、中心線Ｌ１を挟んで位置する相対する側壁２にも、中仕切り挿入部材３が形成されている例が記載されており、中心線Ｌ１上に位置する中仕切り挿入部材３に、後述する中仕切り部材を配設することにより、中仕切り容器Ｃを２分割するように構成されており、また、中心線Ｌ１上に中仕切り挿入部材３を配設することなく、中心線Ｌ１を挟んで形成された中仕切り挿入部材３に、中仕切り部材を配設することにより、中仕切り容器Ｃを３分割するように構成されている。中仕切り容器Ｃの中仕切り挿入部材３による分割数については、必要に応じて、相対する側壁２に形成された中仕切り挿入部材３の数を増減することにより調整することができる。
【００１９】
次に、図６を用いて、中仕切り部材Ｅについて説明する。
【００２０】
中仕切り部材Ｅは、上端水平辺ｅ１と下端水平辺ｅ２と略垂直な相対する側辺ｅ３とからなる板状本体Ｅ’を有しており、中仕切り部材Ｅは、合成樹脂で一体成形された弾性変形可能な板状に形成されている。
【００２１】
中仕切り部材Ｅの上端水平辺ｅ１の中央部には、横長なガタツキ防止用板部ｅ４が形成されており、また、中仕切り部材Ｅの下端水平辺ｅ２には、下端部が尖った適当数の底部用挿入突起ｅ５が形成されている。更に、中仕切り部材Ｅの上端水平辺ｅ１と相対する側辺ｅ３とにより形成される板状本体Ｅ’の上部角部には、板状本体Ｅ’を、側辺ｅ３に略垂直に外側に延在することにより、中仕切り容器Ｃの相対する側壁２に形成された中仕切り挿入部材３の縦長スリット３ａ及び相対する板状の垂直リブ３ｅに挿入される側壁用挿入片ｅ６が形成されている。なお、側壁用挿入片ｅ６の先端垂直辺には、側壁用挿入片ｅ６の上部角部から側辺ｅ３に向かう案内傾斜面ｅ６ａが形成されている。
【００２２】
中仕切り容器Ｃの底部１には、相対する側壁２ｂに形成された中仕切り挿入部材３に配設される中仕切り部材Ｅの底部用挿入突起ｅ５に対応して、凹部や透孔からなる突起挿入部１ａが形成されており、突起挿入部１ａは、相対する側壁２ｂに垂直に、複数の突起挿入部１ａが一列状に形成されている。本実施例においては、中仕切り部材Ｅには、４個の底部用挿入突起ｅ５が形成されているので、中仕切り容器Ｃの底部１には、相対する側壁２ｂに垂直に、４個の突起挿入部１ａが形成されている。なお、底部用挿入突起ｅ５や突起挿入部１ａの個数は、適宜、増減することができる。
【００２３】
本実施例においては、上述したように、中仕切り容器Ｃを２分割或いは３分割する例が示されており、中仕切り容器Ｃを２分割する場合には、側壁２及び底部１を二分する中心線Ｌ１上に、相対する側壁２ｂに垂直に、一列に、４個の突起挿入部１ａが形成されており、また、中仕切り容器Ｃを３分割する場合には、中心線Ｌ１を挟んで、且つ、相対する側壁２ｂに垂直に、二列に、それぞれ、４個の突起挿入部１ａが形成されている。
【００２４】
次に、図２及び図５を用いて、中仕切り容器Ｃの底部１の裏面に形成されたガタツキ防止用板部ｅ４が挿入されるガタツキ防止用底部裏面リブ１ｂ’、１ｂ”について説明する。
【００２５】
ガタツキ防止用底部裏面リブ１ｂ’、１ｂ”は、相対する側壁２ｂに垂直に、一列状に形成された突起挿入部１ａを挟んで、互いに対抗するように形成されている。そして、中仕切り容器Ｃを段積みした際には、下に位置する中仕切り容器Ｃに配設された中仕切り部材Ｅのガタツキ防止用板部ｅ４が、上に位置する中仕切り容器Ｃの底部１の裏面に形成された、互いに対抗するガタツキ防止用底部裏面リブ１ｂ’、１ｂ”間に挿入されるように構成されており、中仕切り容器Ｃがスタッキング状態に段積みされた際に、下に位置する中仕切り容器Ｃに配設された中仕切り部材Ｅの移動を抑制することができるように構成されている。このように構成することにより、下に位置する中仕切り容器Ｃに収容された物品の中仕切り部材Ｅの移動による損傷を防止することができる。
【００２６】
また、底部１の裏面に形成された公知の周状嵌合リブ部１ｃは、一方の相対する側壁２ｂに沿ったリブ１ｃ１と、もう一方の相対する側壁２ｃに沿ったリブ１ｃ２とを有している。
【００２７】
本実施例においては、中仕切り挿入部材３が形成されていない、もう一方の相対する側壁２ｃ側に位置するガタツキ防止用底部裏面リブ１ｂ’は、一方の相対する側壁２ｂに沿ったリブ１ｃ１を連結されるように形成されており、底部１の補強リブとしての機能も有している。また、図２や図５に示されているように、もう一方の相対する側壁２ｃに沿って形成された、他のガタツキ防止用底部裏面リブ１ｂ”は、一方の相対する側壁２ｂに沿ったリブ１ｃ１を連結されることなく、短く形成されている。
【００２８】
次に、図７〜図１０を用いて、中仕切り容器Ｃへの中仕切り部材Ｅの取り付けについて説明する。
【００２９】
先ず最初に、図７に示されているように、中仕切り部材Ｅを、中仕切り容器Ｃの相対する側壁２ｂに形成された中仕切り挿入部材３の縦長スリット３ａの上方に配置し、その後、中仕切り部材Ｅを、その横長の中央部付近に沿って湾曲に弾性変形させながら下降させることにより、中仕切り部材Ｅの側壁用挿入片ｅ６を、上方から、中仕切り挿入部材３の縦長スリット３ａに挿入するとともに、その後、中仕切り部材Ｅの弾性変形を解除することにより、側壁用挿入片ｅ６の先端部を、縦長スリット３ａを挟むように、側壁２ｂの外面２ｂ２に垂直に形成された相対する板状の垂直リブ３ｅ間に挿入する。
【００３０】
中仕切り部材Ｅの側壁用挿入片ｅ６を、上方から、中仕切り挿入部材３の縦長スリット３ａに挿入する際には、中仕切り挿入部材３には、上端傾斜案内部３ｄが形成されているので、中仕切り部材Ｅの側壁用挿入片ｅ６を、上端傾斜案内部３ｄに沿って、円滑に、縦長スリット３ａに挿入することができる。
【００３１】
中仕切り部材Ｅが、中仕切り容器Ｃの相対する側壁２ｂに形成された中仕切り挿入部材３に取り付けられた際には、中仕切り部材Ｅの側壁用挿入片ｅ６の先端部が、側壁２ｂの外面２ｂ２に垂直に形成された相対する垂直リブ３ｅの先端から突出することなく、且つ、相対する垂直リブ３ｅを連結するように形成された上端水平連結リブ３ｇの下方に接近して位置するように構成されている。このように構成されているので、中仕切り部材Ｅが、上方に移動しようとしても、中仕切り部材Ｅの側壁用挿入片ｅ６が、上端水平連結リブ３ｇに当接し、中仕切り容器Ｃから、中仕切り部材Ｅが外れるようなことを防止することができる。なお、必要に応じて、中仕切り部材Ｅの側壁用挿入片ｅ６の先端部が、側壁２ｂの外面２ｂ２に垂直に形成された相対する垂直リブ３ｅの先端から、多少、突出するように構成することもできる。
【００３２】
上述したように、中仕切り部材Ｅの側壁用挿入片ｅ６の先端部が、側壁２ｂの外面２ｂ２に垂直に形成された相対する垂直リブ３ｅ間に挿入されているので、側壁用挿入片ｅ６が、相対する垂直リブ３ｅにより保護され、外部からの負荷により破損したり、側壁用挿入片ｅ６が湾曲変形して、縦長スリット３ａから抜け出るようなことを防止することができる。
【００３３】
また、上述したように、中仕切り部材Ｅが、中仕切り容器Ｃの相対する側壁２ｂに形成された中仕切り挿入部材３に取り付けられた際には、中仕切り部材Ｅの底部用挿入突起ｅ５が、底部１に形成された突起挿入部１ａに挿入されるように構成されている。この際、底部用挿入突起ｅ５の下端部が尖った形状に形成されているので、底部用挿入突起ｅ５の突起挿入部１ａへの挿入が容易になる。また、中仕切り容器Ｃの底部１に、収容される物品の吸水や保温等のために、シートを敷くことが行われているが、底部用挿入突起ｅ５の下端部が尖った形状に形成されているので、容易に、シートを突き破ることができ、従って、中仕切り容器Ｃへの中仕切り部材Ｅの取り付けが容易に行うことができる。
【００３４】
ところで、上述した容器内側部分３’と容器外側部分３”とからなる中仕切り挿入部材３を、スタッキング或いはネスティングが不可能な周知の中仕切り容器Ｃに適用することもできるが、このような容器内側部分３’と容器外側部分３”とからなる中仕切り挿入部材３を、スタッキング或いはネスティングが可能な周知の中仕切り容器Ｃに適用することができる。
【００３５】
例えば、上述した実施例に示されている中仕切り容器Ｃのもう一方の相対する側壁２ｃの一方の側壁２ｃの内面２ｃ１の中央寄りには、上に位置する中仕切り容器Ｃの底部１を載置する相対する内側載置柱状部４ａが形成されており、また、中仕切り容器Ｃのもう一方の相対する側壁２ｃのもう一方の側壁２ｃの内面２ｃ１の両端部には、上に位置する中仕切り容器Ｃの底部１を載置する相対する外側載置柱状部４ｂが形成されている。
【００３６】
中仕切り容器Ｃのもう一方の相対する側壁２ｃの一方の側壁２ｃの外面２ｃ２の中央寄りには、ネスティングの際に、下に位置する中仕切り容器Ｃの内側載置柱状部４ａが挿入される縦方向に延在する内側載置柱状部用凹部５ａが形成されている。また、中仕切り容器Ｃのもう一方の相対する側壁２ｃのもう一方の側壁２ｃの外面２ｃ２の端部寄りには、ネスティングの際に、下に位置する中仕切り容器Ｃの外側載置柱状部４ｂが挿入される縦方向に延在する外側載置柱状部用凹部５ｂが形成されている。下に位置する中仕切り容器Ｃと上に位置する中仕切り容器Ｃとが、下に位置する中仕切り容器Ｃの側壁２ｃと上に位置する中仕切り容器Ｃの側壁２ｃとが重なるように配置した際には、下に位置する中仕切り容器Ｃの内側載置柱状部４ａが、上に位置する中仕切り容器Ｃの内側載置柱状部用凹部５ａに挿入され、また、下に位置する中仕切り容器Ｃの外側載置柱状部４ｂが、上に位置する中仕切り容器Ｃの外側載置柱状部用凹部５ｂに挿入されて、上に位置する中仕切り容器Ｃと下に位置する中仕切り容器Ｃとがネスティングされることになる。
【００３７】
上述した上に位置する中仕切り容器Ｃと下に位置する中仕切り容器Ｃとがネスティング状態においては、中仕切り容器Ｃの側壁２ｂ、２ｃの外面２ｂ２、２ｃ２に、上端フランジ２ａから、側壁２ｂ、２ｃの外面２ｂ２、２ｃ２の上部まで延在する上述した中仕切り挿入部材３の容器外側部分３”の下端が、下に位置する中仕切り容器Ｃの上端フランジ２ａに当接することになる。このようなネスティング用当接部として、上述した中仕切り挿入部材３の容器外側部分３”を構成する上端フランジ２ａの裏面から下方に延在するように形成された相対する板状の垂直リブ３ｅを用いることができる。このように構成することで、中仕切り挿入部材３の構成を変更することなく、スタッキング或いはネスティングが可能な中仕切り容器Ｃに適用することができる。なお、図２、図７及び図８において、６は、下に位置する中仕切り容器Ｃの上端フランジ２ａに当接する、上に位置する中仕切り容器Ｃの側壁２ｂ、２ｃの外面２ｂ２、２ｃ２に形成されたネスティング用当接部である。
【００３８】
なお、上述したネスティング状態から、上に位置する中仕切り容器Ｃを、下に位置する中仕切り容器Ｃに対して、平面的に、１８０度、回転させることにより、上に位置する中仕切り容器Ｃの底部１が、下に位置する中仕切り容器Ｃに形成された内側載置柱状部４ａの上面及び外側載置柱状部４ｂの上面に、上に位置する中仕切り容器Ｃの底部１が載置され、中仕切り容器Ｃが、スタッキング状態に段積みすることができるように構成されている。
【００３９】
上述した容器内側部分３’と容器外側部分３”とからなる中仕切り挿入部材３を、上述したスタッキング或いはネスティングが可能な中仕切り容器Ｃの他の周知のスタッキング或いはネスティングが可能な中仕切り容器Ｃに適用することもできる。
【００４０】
中仕切り容器Ｃを、スタッキング状態に段積みした際には、図１１に示されているように、上に位置する中仕切り容器Ｃの底部１の裏面に形成されたガタツキ防止用底部裏面リブ１ｂ’１ｂ”間に、下に位置する中仕切り容器Ｃに取り付けられた中仕切り部材Ｅのガタツキ防止用板部ｅ４が挿入されているので、中仕切り容器Ｃが、スタッキング状態に段積みされた際には、上に位置する中仕切り容器Ｃが、下に位置する中仕切り容器Ｃに対して、水平方向に移動するようなことを抑制することができる。
【符号の説明】
【００４１】
Ｃ・・・・・・・・・・・中仕切り容器
Ｅ・・・・・・・・・・・中仕切り部材
ｅ４・・・・・・・・・・ガタツキ防止用板部
ｅ５・・・・・・・・・・底部用挿入突起
ｅ６・・・・・・・・・・側壁用挿入片
１・・・・・・・・・・・底部
１ａ・・・・・・・・・・突起挿入部
３・・・・・・・・・・・中仕切り挿入部材
【図１】
0005823284.tif 000002
【図２】
0005823284.tif 000003
【図３】
0005823284.tif 000004
【図４】
0005823284.tif 000005
【図５】
0005823284.tif 000006
【図６】
0005823284.tif 000007
【図７】
0005823284.tif 000008
【図８】
0005823284.tif 000009
【図９】
0005823284.tif 000010
【図１０】
0005823284.tif 000011
【図１１】
0005823284.tif 000012